(57)【要約】      （修正有）【課題】被対照ケーブルでないケーブルを誤って判定することがない、光ドロップケーブルの対照装置を提供する。【解決手段】被対照とする光ドロップケーブル１５の支持線と吊り線１６との間に対照信号を、他の任意の光ドロップケーブル１４の支持線と吊り線１６との間に補助信号を、発信器２２から印加する。対照信号を印加した光ドロップケーブル１５では、誘起する補助信号が対照信号に比べて極めて小さくなることを利用して、静電誘導センサ１９からの検出信号を、受信機２１において対照信号より補助信号を高い利得で増幅して、対照信号と補助信号の差分値および補助信号の大きさを比較することによって、任意の地点で被対照光ドロップケーブル１５を判定する【選択図】図１
2016033633.tif 000002
【特許請求の範囲】
【請求項１】
出力抵抗の小さな発信器から被対照ケーブルの支持線に対照信号、任意のケーブルの支持線に補助信号を吊り線との間に印加した場合、対照信号を印加したケーブルに誘起する補助信号が極めて小さいことを利用して、受信機において対照信号より補助信号を高い利得で増幅するとともに対照信号発信器を断続し、補助信号の監視により有効性を表示することによって正確な判定を可能とした光ドロップケーブルの対照装置。
【請求項２】
前記装置において、補助信号をケーブルに印加するのではなく商用電源からの静電誘導を利用した対照装置。
【発明の詳細な説明】
【技術分野】
【０００１】  光ドロップケーブルは張力に耐える必要があるため、鋼心とともに絶縁物で被覆された構造になっている。本発明は光ドロップケーブルの鋼心（以下「支持線」）を利用して、ドロップホルダ等と任意の地点間において非接触でケーブルの対照を行う装置に関するものである。
【背景技術】
【０００２】  光ドロップケーブルはアースに接続された金属製ワイヤー（以下「吊り線」）にハンガによって懸架される。従来の非接触ケーブル対照装置はドロップホルダ等からケーブル支持線と吊り線間に交流信号を印加し、静電誘導または電磁誘導によって信号を検出している。
【発明の概要】
【発明が解決しようとする課題】
【０００３】  従来の非接触ケーブル対照装置はドロップホルダ等から被対照ケーブルの支持線と吊り線間に交流信号を印加し、電磁誘導または静電誘導により信号を検出することによって、ケーブルを対照しているが次のような課題がある。【０００４】  静電誘導方式は交流信号を印加したケーブル支持線以外のケーブル支持線にも静電誘導によって信号が誘起されるので検出レベル差が小さく判別が難しい。また、雨水などが付着した場合はセンサの検出レベルが変化するので判別を誤る可能性が高い。【０００５】  電磁誘導方式はケーブル支持線と吊り線間に交流信号を印加し、ケーブル支持線と吊り線間の静電容量を通して流れる微弱な電流を検出するものである。この方式はケーブル長が同じ場合は非常に正確に判別することが出来るが、長さの異なるケーブルが混在する場合には検出位置によっては判別を誤る可能性が高い。【０００６】  本発明は、このような従来のケーブル対照装置が有していた問題を解決しようとするものであり、長さの異なるケーブルが混在する場合でも正確に判別できるケーブル対照装置を実現することを目的とするものである。
【課題を解決するための手段】
【０００７】  光ドロップケーブルの支持線はドロップホルダとユーザ宅で切断され、両端が電気的に開放状態になっている。ドロップホルダ等において被対照ケーブルの支持線に対照信号、任意のケーブルの支持線に補助信号を吊り線との間に印加し、ケーブルに誘起する対照信号と補助信号の差分値および補助信号の大きさを比較することによって、任意の地点で被対照ケーブルを判定する。【０００８】  課題解決手段による作用は次のとおりである。ドロップホルダ等において出力抵抗の小さな発信器から被対照ケーブルの支持線に対照信号、任意のケーブルの支持線に補助信号を吊り線との間に印加する。発信器の出力抵抗が小さいため、対照信号を印加したケーブル支持線に静電誘導により誘起する補助信号は極めて小さくなる。同様に補助信号を印加したケーブル支持線に誘起する対照信号も極めて小さくなる。それ以外のケーブル支持線は両端が開放状態となっているため対照信号と補助信号が静電誘導によって誘起する。【０００９】  受信器において対照信号と補助信号を濾波器で分離し、補助信号を対照信号より２０ｄＢ高く増幅する。それぞれの信号を差動増幅器（対照信号−補助信号）に入力し、出力が正の一定値以上になった場合を対照条件とする。【００１０】  対照信号を印加したケーブルは対照条件を満足しなければならない。このケーブルに検出される補助信号は対照信号に比べて極めて小さいので、対照信号より２０ｄＢ高く増幅しても常に対照条件を満足する。【００１１】  補助信号を印加したケーブルは対照条件を満足してはならない。このケーブルに検出される対照信号は補助信号に比べて極めて小さく、さらに補助信号が２０ｄＢ高く増幅されているので常に対照条件を満足しない。【００１２】  その他のケーブルは対照条件を満足してはならない。このケーブルでは対照信号と補助信号がケーブルの位置関係によって、それぞれの信号の大きさがケーブル毎に異なり判定が難しい。そこで対照信号より補助信号を２０ｄＢ程度高くすることによって、大部分のケーブルが対照条件を満足しなくなるようにする。【００１３】  補助信号が断もしくは異常にレベルが低い場合は、上記において対照条件を満たす場合があるので、補助信号を監視して一定レベル以上の場合に有効性を表示する。
【発明の効果】
【００１４】  有効性が表示されている限り被対照ケーブルでないケーブルを誤って被対照ケーブルと判定する事象は起こり得ないので正確かつ安全な作業ができる。
【図面の簡単な説明】
【００１５】
【図１】  光ドロップケーブル対照の概要図
【図２】  発信器のブロック図
【図３】  静電センサ
【図４】  受信器のブロック図
【図５】  対照信号を印加したケーブルに検出される信号の説明図
【図６】  補助信号を印加したケーブルに検出される信号の説明図
【図７】  その他のケーブルに検出される信号の説明図
【発明を実施するための形態】
【００１６】  以下、本発明の実施の形態を図１〜図７に基づいて説明する。
【実施例】
【００１７】  図１は心線対照を行う場合の概略図を示す。１１〜１５は光ドロップケーブル、１６は吊り線、１７はスパイラルハンガ、１８はドロップホルダ、１９は静電センサ、２０は受信器の接地コード、２１は受信器、２２は発信器、２３は発信器の対照信号接続コード、２４は発信器の補助信号接続コード、２５は発信器の接地コードである。【００１８】  光ドロップケーブル１１〜１５はスパイラルハンガ１７を介して吊り線１６に懸架される。光ドロップケーブル１１〜１５の鋼心はドロップホルダ１８で切断され、光ファイバのみクロージャ（省略）へ配線される。【００１９】  図２は発信器のブロック図を示す。３１は対照信号発信器、３２は補助信号発信器でいずれも出力抵抗が低く設計されている。３３はスイッチで数秒毎に対照信号を断続する。３４は対照信号の出力端子、３５は接地端子、３６は補助信号の出力端子である。【００２０】  図３は静電センサの構造を示す。４１はケースで内側が外部電極になっている。４２は内部電極、４３はインピーダンス変換器、４４はコード、４５はコネクタである。【００２１】  図４は受信器のブロック図を示す。５１はコネクタ、５２は対照信号濾波器、５３は対照信号増幅器、５４は整流器、５５は差動増幅器、５６は被対照ケーブルであること表示するランプ（以下対照ランプ）である。５７は補助信号濾波器、５８は補助信号増幅器で増幅器５３より利得が２０ｄＢ高く設計されている。５９は整流器、６０は補助信号のレベル監視、６１は補助信号が一定レベル以上の場合に有効性を表示するランプ（以下有効ランプ）である。【００２２】  図１のドロップホルダ１８において、発信器２２の接地端子３５を吊り線１６に接続し、被対照の光ドロップケーブル１５の支持線と発信器２２の出力端子３４を接続する。次に任意の光ドロップケーブル１４の支持線と発信器２２の端子３６を接続する。【００２３】  発信器２２の出力抵抗が低いため、被対照ケーブル１５の支持線に静電誘導によって誘起する補助信号は極めて小さい。同様にして補助信号を印加したケーブル１４の支持線に誘起する対照信号も極めて小さい。その他のケーブル１１〜１３は両端が開放になっているので対照信号と補助信号が平均的に同程度の強さで誘起される。【００２４】  図５は対照信号を印加したケーブルに検出される信号を示す。７１は増幅前の補助信号であり、補助信号を印加したケーブルとの位置関係によって大きさが異なり、概念的に図のような分布をすると考えられる。７２は増幅後（２０ｄＢ）の補助信号、７３は対照条件の閾値（０．５Ｖ）、７４は補助信号の監視レベル（０．９Ｖ）、７５は対照信号で基準値（１Ｖ）である。【００２５】  増幅後の補助信号７２は対照条件の閾値７３以下であり、常に被対照ケーブルと判定される。この場合に補助信号の確認ができないので、対照信号の発信器を断続して補助信号を確認し０．９Ｖ以上であれば有効ランプを点灯する。したがって、このケーブルでは常に対照ランプと有効ランプが交互に点灯する。【００２６】  図−６は補助信号を印加したケーブルに検出される信号を示す。８１は対照信号で、対照信号を印加したケーブルとの位置関係によって大きさが異なり、概念的に図のよう���分布をすると考えられる。８２は補助信号の監視レベル（０．９Ｖ）、８３は増幅前の補助信号で基準値（１Ｖ）、８４は増幅後の補助信号である。【００２７】  増幅後の補助信号８４は常に対照信号８１より大きく対照条件を満たさないので被対照ケーブルではないと判定される。また、補助信号８４は監視レベルより大きいので有効ランプが点灯する。したがって、このケーブルでは常に有効ランプが点灯し対照ランプは点灯しない。【００２８】  図−７はその他のケーブルに検出される信号を示す。９１は対照信号と増幅前の補助信号で、ケーブルの位置関係によってそれぞれの大きさが異なり、概念的に図のような分布をすると考えられる。９２は補助信号の監視レベル（０．９Ｖ）、９３は増幅後の補助信号である。【００２９】  対照信号９１と補助信号９１において前者が大きく後者が小さい場合に、誤って被対照ケーブルと判定される可能性がある。そこで、補助信号９１を増幅（２０ｄＢ）して大部分を０．５Ｖ以上の領域へ移すことにより誤って被対照ケーブルと判定されないようにする。増幅後の補助信号が０．５Ｖ以下の領域では誤判定となる危険性が残るが、対象信号発信器の断続により対照ランプは点滅するものの補助信号が監視レベル（０．９Ｖ）に達しないので有効ランプは点灯しない。したがって、このケーブルでは有効ランプが点灯し対照ランプが点灯しない場合が殆どであるが、極めて稀に対照ランプが点滅することがあるものの有効ランプが点灯しないので無効となる。【００３０】  対照ランプと有効ランプが交互に点灯する場合は被対照ケーブルであり、有効ランプのみ点灯する場合は被対照ケーブルではないといえる。有効ランプが点灯していない場合は無効となり被対照ケーブルではないと判断できるが、念のため補助信号の印加ケーブルを変更するなどの措置が必要である。【００３１】  本装置において有効ランプが点灯している限り被対照ケーブルでないケーブルが被対照ケーブルと誤って判定されることはあり得ない。
【産業上の利用可能性】
【００３２】  光ドロップケーブルの工事等において、現在は手探りで物理的に心線を判別しているが、本発明により安全かつ正確にケーブルの判別ができるので作業の効率化が図られる。
【符号の説明】
【００３３】１１  光ドロップケーブル
１２  光ドロップケーブル
１３  光ドロップケーブル
１４  光ドロップケーブル（補助信号を印加）
１５  光ドロップケーブル（対照信号を印加）
１６  吊り線（アースに接続）
１７  スパイラルハンガ
１８  ドロップホルダ
１９  静電誘導センサ
２０  受信器の接地コード
２１  受信器
２２  発信器
２３  発信器の対照信号接続コード
２４  発信器の補助信号接続コード
２５  発信器の接地コード
３１  対照信号発信器
３２  補助信号発信器
３３  スイッチ（数秒毎に断続）
３４  対照信号出力端子
３５  接地端子
３６  補助信号出力端子
４１  外部電極（ケース）
４２  内部電極
４３  インピーダンス変換器
４４  出力コード
４５  コネクタ
５１  コネクタ
５２  対照信号濾波器
５３  対照信号用増幅器（２０ｄＢ）
５４  整流器
５５  差動増幅器
５６  表示器（対照条件を満たす場合に点灯）
５７  補助信号濾波器
５８  補助信号用増幅器（４０ｄＢ）
５９  整流器
６０  レベル監視
６１  表示器（補助信号が規定値より大きい場合に点灯）
７１  対照信号を印加したケーブルに検出される補助信号
７２  対照信号を印加したケーブルで検出される補助信号（増幅後）
７３  対照条件の閾値（０．５Ｖ）
７４  補助信号の監視閾値（０．９Ｖ）
７５  対照信号を印加したケーブルで検出される対照信号（基準＝１Ｖ）
８１  補助信号を印加したケーブルに検出される対照信号
８２  補助信号の監視閾値（０．９Ｖ）
８３  補助信号を印加したケーブルに検出される補助信号（基準＝１Ｖ）
８４  補助信号を印加したケーブルに検出される補助信号（増幅後）
９１  その他のケーブルに検出される対照信号と補助信号
９２  補助信号の閾値
９３  その他のケーブルに検出される補助信号（増幅後）
【図１】
2016033633.tif 000003
【図２】
2016033633.tif 000004
【図３】
2016033633.tif 000005
【図４】
2016033633.tif 000006
【図５】
2016033633.tif 000007
【図６】
2016033633.tif 000008
【図７】
2016033633.tif 000009